(57)【要約】  【課題】  脚痩及びＯ脚の予防・矯正を行うことができ、しかも少ない材料で作製できる中敷きおよび靴を提供する。  【解決手段】  中敷き本体１１の、足の踵骨３１の外側部に対向する部分に第１の突出部１２を設け、第５中足骨３２に対向する部分に第２の突出部１３を設ける。ここで効果的なＯ脚の予防・矯正と使用材料の低減とを同時に達成する観点からは、第１の突出部１２と第２の突出部１３の高さを３〜５ｍｍの範囲とするのが好ましい。【選択図】      図１
0003104246.tif 000002
【実用新案登録請求の範囲】
【請求項１】
足の踵骨の外側部に対向する部分と第５中足骨に対向する部分に突出部を設けたことを特徴とする中敷き。
【請求項２】
前記突出部の高さが３〜５ｍｍの範囲である請求項１記載の中敷き。
【請求項３】
中底の、足の踵骨の外側部に対向する部分と第５中足骨に対向する部分に突出部を設けたことを特徴とする靴。
【請求項４】
前記突出部の高さが３〜５ｍｍの範囲である請求項３記載の靴。
【考案の詳細な説明】
【技術分野】
【０００１】
本考案は、主として痩脚及びＯ脚の予防・矯正に用いる中敷き及び靴に関するものである。
【背景技術】
【０００２】
Ｏ脚の人は体重増加や加齢に伴って変形性膝関節症が発症しやすくなる。そこでＯ脚を予防・矯正するために種々の提案がこれまでからなされている。その中には履き物による予防・矯正も提案されている。具体的には図５及び図６に示すように、履き物の中敷き１’として外側端部から内側端部に向かって厚さが徐々に薄くなるようにしたものが提案されている（例えば特許文献１）。
【特許文献１】特開２００１−１７２０２号公報（特許請求の範囲、（００１２）〜（００１８）、図１〜図９）
【考案の開示】
【考案が解決しようとする課題】
【０００３】
しかしながら、人が履き物を履いたときに、足の裏は履き物の中底全面と接触するわけではなく、履き物の中底の全体を傾斜させる上記提案では効果に寄与しない無駄な部分が存在し、必要以上に材料を用いている。
【０００４】
本考案はこのような従来の問題に鑑みてなされたものであり、その目的とするところは、Ｏ脚の予防・矯正及び痩脚を行うことができ、しかも少ない材料で作製できる中敷きおよび靴を提供することにある。
【課題を解決するための手段】
【０００５】
本考案によれば、足の踵骨の外側部に対向する部分と第５中足骨に対向する部分とに突出部を設けたことを特徴とする中敷きが提供される。なお、本明細書における「第５中足骨に対向する」には、第５中足骨の全体と対向する場合とその一部と対向する場合とが含まれる。
【０００６】
ここで、効果的なＯ脚の予防・矯正と履き心地、さらには痩脚とを同時に達成する観点からは、前記突出部の高さを３〜５ｍｍの範囲とするのが好ましい。
【０００７】
また本考案によれば、中底の、足の踵骨の外側部に対向する部分と第５中足骨に対向する部分に突出部を設けたことを特徴とする靴が提供される。
【０００８】
ここで、効果的なＯ脚の予防・矯正と履き心地、さらには痩脚とを同時に達成する観点からは、前記突出部の高さを３〜５ｍｍの範囲とするのが好ましい。
【考案の効果】
【０００９】
本考案の中敷き及び靴では、足の踵骨の外側部に対向する部分と第５中足骨に対向する部分とに突出部を設けているので、これらを使用した人は左右の膝部が相互に接近する状態となり、日常生活における歩行によってＯ脚が自然に予防・矯正される。また、このような中敷き及び靴を使用すると、足の筋肉がバランスよく使われるので痩脚効果も得られる。さらには必要な部分だけを突出させているので、従来に比べ製造にかかる使用材料が少なくて済む。
【００１０】
また、中敷き及び靴の中底に設ける突出部の高さを３〜５ｍｍの範囲とするのと、効果的なＯ脚の予防・矯正と使用材料の低減とが同時に達成できる。
【考案を実施するための最良の形態】
【００１１】
以下、図に基づいて本考案の中敷きについて説明する。なお、本件考案はこれらの実施形態に何ら限定されるものではない。
【００１２】
図１に、本考案の中敷きの一実施形態を示す平面図を示す。図１では、右足側に中敷きの構造を示し、左足側に使用者の足が位置する状態を示している。そして図２に、図１の中敷きの右足用の斜視図を示す。図１の右足側の中敷きから明らかなように、中敷き１は中敷き本体１１と第１の突出部１２、第２の突出部１３とからなる。中敷き本体１１は、靴などの履き物の中底に装着する観点から、中底と略同形状の外形形状としてある。もちろん、履き物の大きさに合わせて中敷き本体１１の外周縁を切除できるようにしても構わない。中敷き本体１１の材質としては例えばポリウレタンなどの弾性体や、合成繊維や天然繊維などの織布、編み布、不織布などが挙げられる。またその厚みとしては１〜５ｍｍ程度が好ましい。
【００１３】
一方、図１の左右の中敷きを見比べれば理解されるように、踵骨３１の外側部および第５中足骨３２に対向する、中敷き本体１１の部分に第１の突出部１２及び第２の突出部１３が形成されている。これにより、この中敷き１の上に足を載せると、両脚の下肢軸が外方に傾いたＯ脚の状態から垂直方向へ自然と矯正されるようになる。突出部１２，１３の高さＨ（図２に図示）は３〜５ｍｍの範囲が好ましい。突出部１２，１３の高さが３ｍｍより低いと、本考案の効果が十分には得られないおそれがある一方、５ｍｍより高いと歩行しにくくなるおそれがあるからである。図２に示すように、この図の突出部１２，１３は中敷き本体１１から徐々に盛り上がった形状であるが、これに限定されるものではなく、例えば中敷き本体１１から段差を付けて形成されていてもよい。使用者の履き心地などを考慮するならば、突出部１２，１３は中敷き本体１１から徐々に盛り上がった形状とするのが好ましい。また図１に示すように、平面視における突出部１２，１３の頂面幅Ｄ（図１に図示）は５〜２０ｍｍ程度が好ましく、突出部１２の長さＬ（図１に図示）は３０〜８０ｍｍ程度が好ましい。頂面の幅Ｄと長さＬとがこの範囲から外れると履き心地が悪くなるおそれがあるからである。
【００１４】
突出部１２，１３は中敷き本体１１と一体成形としてもよいし、中敷き本体１１と別体として中敷き本体１１に接合してもよい。人によって足の大きさや形状が異なり、これにより踵骨および第５中足骨の大きさや位置も変わってくるので、中敷き本体１１と突出部１２，１３とは別部材とし、突出部１２，１３は中敷き本体１１に対して着脱可能にするのが望ましい。突出部１２，１３を着脱可能とする機構としては例えば面ファスナなどが挙げられる。突出部１２，１３の材質としてはポリウレタンなど弾性を有する材料が好適である。また履き心地を向上させるため等から、足の土踏まずに対向する部分に土踏まずの形状に合った突出部（不図示）をさらに形成してももちろん構わない。
【００１５】
本考案の中敷きは靴など履き物の中底に敷いて用いる。本考案の中敷きはこの他にも靴下や足袋の中に敷いて用いても構わない。
【００１６】
次に本考案の靴について説明する。靴は一般に左右対称となっているので、図３に、本考案の靴の一実施形態を示す右足用の靴の斜視図を示し、図４に、図３のＡ−Ａ線断面図を示し、これらの図に基づいて以下その構成を説明する。
【００１７】
靴２の中底２１の、踵骨の外側部および第５中足骨に対向する位置に第１の突出部２２および第２の突出部２３がそれぞれ形成されている。中敷きの場合と異なり、靴の場合には靴に合う足の大きさは当初から決まっており、これにより踵骨および第５中足骨の大きさや位置も必然的に決まっているので、突出部２２，２３は中底２１にしっかりと固定されているのが好ましい。したがって、突出部２２，２３と中底２１とを一体成形する、あるいは突出部２２，２３を中底２１に接着剤等によって固着するのが好ましい。
【００１８】
靴の中底２１の材質としては、中敷きと同様に、ポリウレタンなどの弾性体や、合成繊維や天然繊維などの織布、編み布、不織布などが挙げられる。また突出部２２，２３の材質としてはポリウレタンなど弾性を有する材料が好適である。また履き心地を向上させるため等から、足の土踏まずに対向する部分に土踏まずの形状に合った突出部（不図示）をさらに形成しても構わない。
【００１９】
なお、突出部２２，２３の高さ、断面形状、頂面の幅及び長さについては、前述の中敷きの構成で説明した内容がここでもそのまま例示される。
【００２０】
このような構成の靴２を履くと、左右の膝部が相互に自然と接近するような状態となるので、Ｏ脚の矯正のみならず変形性膝関節症の治療などに対しても有効となる。
【図面の簡単な説明】
【００２１】
【図１】本考案に係る中敷きの一実施形態を示す平面図である。
【図２】図１の右足用の中敷きの斜視図である。
【図３】本考案に係る靴の一実施形態を示す斜視図である。
【図４】図３のＡ−Ａ線断面図である。
【図５】従来の中敷きを示す平面図である。
【図６】図５のＢ−Ｂ線断面図である。
【符号の説明】
【００２２】
１，１’  中敷き
２  靴
１１  中敷き本体
１２  第１の突出部
１３  第２の突出部
２１  中底
２２  第１の突出部
２３  第２の突出部
２４  かかと
３１  踵骨
３２  第５中足骨
【図１】
0003104246.tif 000003
【図２】
0003104246.tif 000004
【図３】
0003104246.tif 000005
【図４】
0003104246.tif 000006
【図５】
0003104246.tif 000007
【図６】
0003104246.tif 000008